(57)【要約】【課題】エレベータ扉を新たに設置する際に、設置する際のさまざまな敷居溝の幅に対応し、調整しやすいガイドシューを用いたエレベータ扉のガイド装置とそれを用いたエレベータ扉を提供すること。【解決手段】エレベータ扉１を案内するガイド装置は、ガイドシュー２の所定数が敷居溝３ａの溝幅方向への移動が自在な調整手段８、９、１１、１３、１４と共に固定させる。【選択図】　図３
2004099265.tif 000002
【特許請求の範囲】
【請求項１】
エレベータ扉の下部に設けられ、敷居溝に係合することにより前記エレベータ扉を前記敷居溝に沿って案内する複数個のガイドシューを具備したエレベータ扉のガイド装置において、
前記ガイドシューの少なくとも一部は、前記敷居溝の溝幅方向への移動が自在な調整手段を介して前記エレベータ扉に固定されたガイドシューであることを特徴とするエレベータ扉のガイド装置。
【請求項２】
前記調整手段は、前記ガイドシューの取付金具と取付けベースとの間に弾性体を介挿して形成していることを特徴とする請求項１記載のエレベータ扉のガイド装置。
【請求項３】
前記調整手段は、前記ガイドシューの取付金具と取付けベースとの間に楔板を介挿し、ねじにより螺着することにより形成していることを特徴とする請求項１記載のエレベータ扉のガイド装置。
【請求項４】
ガイド装置に請求項１乃至３のいずれかに記載されているエレベータ扉のガイド装置を用いていることを特徴とするエレベータ扉。
【発明の詳細な説明】
【０００１】
【発明の属する技術分野】
本発明は、敷居溝に沿ってスライドするガイドシューによりエレベータ扉を案内するエレベータ扉のガイド装置とそれを用いたエレベータ扉に関する。
【０００２】
【従来の技術】
通常、エレべータには、乗りかごと乗り場にそれぞれエレベータ扉が設けられている。この２つのエレベータ扉は、乗り場に着床した乗りかごのエレベータ扉の開閉に連動して、乗り場のエレベータ扉が開閉する構造となっている。また、構造的には、これらの乗りかごに設けられているエレベータ扉と乗り場に設けられているエレベータ扉は共に、敷居溝に沿ってスライドすることによって開閉される形式のエレベータ扉ガイド装置が設けられている。
【０００３】
図８に示すように、乗りかごのエレベータ扉３１は例えば２枚で構成されていて、１本の敷居３３の敷居溝３３ａに各エレベータ扉３１のガイドシュー３２の先端部３２ａが係合するように、１列に配置されている。従って、閉成時には２枚のエレベータ扉３１が中央で接触することとなり、２枚のエレベータ扉３１が互いに左右にスライドすることにより開成される。このエレベータ扉３１の開閉は、図示しない駆動装置からの動力によって行われるが、開閉に際して、ガイドシュー３２の先端部３２ａが敷居溝３３ａに沿ってスライドするように案内することにより、エレベータ扉３１の開閉が円滑に行われるようになっている。
【０００４】
図９は、従来のエレベータ扉ガイド装置の一例を示す説明図で、図８のＡ−Ａ線方向に沿う側面図である。
【０００５】
図８および図９に示されているように、乗りかごのエレベータ扉３１の下部に、ねじ３４等によって強固に固定されて複数個のガイドシュー３２が取付けられている。このガイドシュー３２は、金属製の取付けベース３２ｂの先端にプラスチック製の先端部３２ａが設けれており、この先端部３２ａが敷居３３に刻設されている敷居溝３３ａに係合して摺接するように調整されている。
【０００６】
また、エレベータ扉３１構造はエレベータの仕様に応じて多岐にわたり、敷居溝の深さ、幅も種々のものがある。扉の保守や交換時に敷居３３の敷居溝３３ａの幅が異なる場合に対応するために、図１０（ａ）に要部の平面図を、図１０（ｂ）および（ｃ）にその側面を図示すように、取付けベース３５ａ、３５ｂの異なる２種類のガイドシュー３２Ａ、３２Ｂを用いて、それらを段違いに配置し、一方の種類のガイドシュー３２Ａを敷居溝３３ａの一方の側壁３５ｂに摺接させ、他方の種類のガイドシュー３２Ｂを敷居溝３３ａの他方の側壁３５ｃに摺接させることにより、敷居溝３３ａの幅の変化に対処していた。
【０００７】
なお、上述の場合はエレべータの乗りかごのエレベータ扉３１のガイドシュー３２について説明したが、乗り場のエレベータ扉についても同様のガイドシューが設けられた同様の構造が用いられている。
【０００８】
【発明が解決しようとする課題】
上述のように、従来のエレベータ扉のガイドシューの構成では、敷居溝の幅が異なる場合に、個々の敷居溝の幅に対応して、取付ベースの高さをその都度変更して設計製作しなければならないので、コスト面で好ましくない。
【０００９】
また、エレベータの交換据付の場合は、通常、全階床の敷居溝の幅を計測する場合が少ないので、実務的には現場でエレベータ扉を据付ける際に、敷居溝の幅に合わないということがたびたび発生するが、現場での調整は困難である。
【００１０】
本発明はこれらの事情にもとづいてなされたもので、エレベータ扉を新たに設置する際に、設置する際のさまざまな敷居溝の幅に対応し、調整しやすいガイドシューを用いたエレベータ扉のガイド装置とそれを用いたエレベータ扉を提供することを目的としている。
【００１１】
【課題を解決するための手段】
本発明は、エレベータ扉の下部に設けられ、敷居溝に係合することにより前記エレベータ扉を前記敷居溝に沿って案内する複数個のガイドシューを具備したエレベータ扉のガイド装置において、前記ガイドシューの少なくとも一部は、前記敷居溝の溝幅方向への移動が自在な調整手段を介して前記エレベータ扉に固定されたガイドシューであることを特徴とするエレベータ扉のガイド装置である。
【００１２】
また、前記調整手段の１つは、前記ガイドシューの取付金具と取付けベースとの間に弾性体を介挿して形成していることを特徴とするエレベータ扉のガイド装置である。
【００１３】
また、前記弾性体は、圧縮コイルばねであることが好ましい。
【００１４】
また前記弾性体は、皿ばねであることが好ましい。
【００１５】
また本発明は、前記調整手段は、前記ガイドシューの取付金具と取付けベースとの間に楔板を介挿してねじにより螺着することにより形成していることを特徴とするエレベータ扉のガイド装置である。
【００１６】
また本発明は、前記調整手段は、前記ガイドシューの取付金具と取付けベースとの間にシムを介挿して形成することが好ましい。
【００１７】
また発明は、ガイド装置に上記のいずれかに記載されているエレベータ扉のガイド装置を用いていることを特徴とするエレベータ扉である。
【００１８】
【発明の実施の形態】
以下、本発明の実施の形態を図面を参照して説明する。
【００１９】
図１は、エレベータ乗りかごのエレベータ扉の部分の正面図である。
【００２０】
エレベータの乗りかごのエレベータ扉１は吊り下げ構造で、例えば、２枚で構成されており、乗りかごの３方枠に取着されたレール１ａを扉上部の車輪１ｂによって移動可能とされる。扉の下部にはエレベータ扉１が扉面方向に揺動しないように、ガイド装置を構成する複数のガイドシュー２が１列に配置されて、後述する取付け構造により取付けられている。また、この複数のガイドシュー２の先端部２ａは、敷居３に刻設された敷居溝３ａの一方の側壁３ｂとその反対側の側壁３ｃに、交互に密接状態で係合されている。つまり、一対のガイドシュー２が複数対設置されていることにより、エレベータ扉１は敷居溝３ａに隙間の無い密接状態で案内されて摺接し、エレベータ扉１の開閉が円滑に行われるようになっている。
【００２１】
これらの構造により、閉扉時には２枚のエレベータ扉１が中央で接触することとなり、一方、２枚のエレベータ扉１が互いに左右にスライドすることにより開扉される。このエレベータ扉１の開閉は、図示しない駆動装置からの動力によって行われている。
【００２２】
図２は、ガイドシュー２の構造図であり、ガイドシュー２は取付け金具４に樹脂５をインサートして射出成型により一体成型されている。取付け金具４には、一体成型された樹脂５が剥離しないように貫通孔４ａが設けられている。樹脂５はエレベータ扉１が開閉時に敷居溝３ａと摺接する際に騒音が発生しないように、例えば、ＳＢＲの樹脂を用い、それに磨耗劣化を防止するためにテフロン等がコーティングされている。
【００２３】
上述のように一対のガイドシュー２は、常に、敷居溝３ａの両側壁３ｂ、３ｃに密接している状態でエレベータ扉１に取付けられている必要があるので、以下にその取付け構造の実施の形態について説明する。
【００２４】
ガイドシュー２のエレベータ扉１への取付けの第１の実施の形態を、図３（ａ）、（ｂ）および（ｃ）により説明する。図３（ａ）はガイドシュー２の配置図であり、図３（ｂ）は一方のガイドシュー２の取付け状態の説明図で、図３（ｃ）は他方のガイドシュー２の取付け状態の説明図である。
【００２５】
ガイドシュー２は摺接する敷居溝３ａの側壁３ｂ，３ｃにより取付け方が異なる。敷居溝３ａの一方の側壁３ｂに摺接するガイドシュー２は、図３（ｂ）に示したように、エレベータ扉１の下部に当接された角ブロック状の取付けベース６を介して、取付け金具４がねじ７によりエレベータ扉１に螺着されて固定側ガイドを形成している。取付金具４は取付けベース６に密接している。
【００２６】
一方、敷居溝３ａの他方の側壁３ｃに摺接するガイドシュー２は、図３（ｃ）に示したように、ガイドシュー２の取付け金具４と取付けベース６との間に圧縮コイルばね８を介挿して形成し、ねじ７によりエレベータ扉１に螺着されて移動側ガイド（調整手段）を形成している。移動側ガイドは圧縮コイルばね８により、ガイドシュー２が常にエレベータ扉１とは反対側に弾性的に付勢されるので、ねじによるねじこみ長の調整を溝幅の最大部に合わせておけば、敷居溝３ａの幅が狭く変化した場合でも、敷居溝３ａの幅に応じて変位する。それにより、常に敷居溝３ａの両側壁３ｂ，３ｃに固定側ガイドと移動側ガイドとのガイドシュー２が密接して案内する構造になり、様々な敷居溝３ａの幅に対して対応することが出来、かつ、エレベータ扉１の精度のよい案内が可能になる。
【００２７】
また、ガイドシュー２と取付けベース６とはいずれも１種類のみしか用いていないので、取付けの際に部品を取り違える恐れは無く、また、敷居溝３ａの幅に対する調整も圧縮コイルばね８の弾性を用いているので、特に行う必要も無く調整することができる。
【００２８】
なお、上述の実施の形態では、移動型ガイドのガイドシュー２の取付け金具４と取付けベース６との間に圧縮コイルばね８を介挿させたが、圧縮コイルばね８に限らず、図４に示したように、皿ばね８ａを用いることもできる。なお、図４において、図３（ａ）〜（ｃ）と同一部分には同一符号を付して、個々の説明を省略している。
【００２９】
次に、ガイドシュー２のエレベータ扉１への取付けの第２の実施の形態を、図５（ａ）、（ｂ）および（ｃ）により説明する。図５（ａ）はガイドシュー２の配置図であり、図５（ｂ）は一方のガイドシュー２の取付け状態の説明図で、図５（ｃ）は他方のガイドシュー２の取付け状態の説明図である。
【００３０】
第１の実施の形態と同様にガイドシュー２は、摺接する敷居溝３ａの側壁３ｂ，３ｃにより取付け方が異なる。敷居溝３ａの一方の側壁３ｂに摺接するガイドシュー２は、図５（ｂ）に示したように、エレベータ扉１の下部に取付けベース６を介して取付け金具４が取付けベース６に密接してねじ７によりエレベータ扉１に螺着されて固定側ガイドを形成している。一方、敷居溝３ａの他方の側壁３ｃに摺接するガイドシュー２は、図５（ｃ）に示したように、ガイドシュー２の取付け金具４と取付けベース６との間に楔板１１を介挿して、ねじ７によりエレベータ扉１に螺着されて調整側ガイド（調整手段）を形成している。この場合、取付けベース６と楔板１１の双方の対向面６ａ、１１ａは同一勾配の傾斜面に形成されている。また、楔板１１は取付けベース６の対向面６ａと傾斜方向に摺接して移動ができるように、ねじ７の貫通孔１２はスリットまたは長孔１２ａが穿設されている。
【００３１】
この場合、敷居溝３ａの幅の変化に対する対応は、敷居溝３ａの変化した幅に応じて楔板１１を取付けベース６に沿って移動させて調整し、調整して位置でねじ７によりエレベータ扉１に螺着することで調整することができ、様々な敷居溝３ａの幅に対して対応することが出来る。
【００３２】
次に、ガイドシュー２のエレベータ扉１への取付けの第３の実施の形態を、図６（ａ）、（ｂ）および（ｃ）により説明する。図６（ａ）はガイドシュー２の配置図であり、図６（ｂ）は一方のガイドシュー２の取付け状態の説明図で、図６（ｃ）は他方のガイドシュー２の取付け状態の説明図である。
【００３３】
第１および第２の実施の形態と同様にガイドシュー２は、摺接する敷居溝３ａの側壁３ｂ，３ｃにより取付け方が異なる。敷居溝３ａの一方の側壁３ｂに摺接するガイドシュー２は、図５（ｂ）に示したように、エレベータ扉１の下部に取付けベース６を介して取付け金具４が取付けベース６に密接してねじ７によりエレベータ扉１に螺着されて固定側ガイドを形成している。一方、敷居溝３ａの他方の側壁３ｃに摺接するガイドシュー２は、図５（ｃ）に示したように、ガイドシュー２の取付け金具４と取付けベース６との間にシム１３を介挿して、ねじ７によりエレベータ扉１に螺着されて調整側ガイド（調整手段）を形成している。この場合、シム１３の枚数は敷居溝３ａの幅の変化量に合わせて調整する。それにより、様々な敷居溝３ａの幅に対して対応することが出来る。
【００３４】
次に、ガイドシュー２のエレベータ扉１への取付けの第４の実施の形態を、図７（ａ）、（ｂ）および（ｃ）により説明する。図７（ａ）はガイドシュー２の配置図であり、図７（ｂ）は一方のガイドシュー２の取付け状態の説明図で、図７（ｃ）は他方のガイドシュー２の取付け状態の説明図である。
【００３５】
この実施の形態では、ガイドシュー２は、摺接する敷居溝３ａの側壁３ｂ，３ｃに対する取付け方は同じであるが、調整によりガイドシュー２の位置を変位させている。図７（ａ）および（ｂ）に示すように、敷居溝３ａの側壁３ｂ，３ｃに摺接するガイドシュー２は、エレベータ扉１の下部に締め付けナット１４（調整手段）を介してねじ７によりエレベータ扉１に螺着されて固定されている。この場合締め付けナット１４はエレベータ扉１の他側に設けられるねじ１５とダブルナットの効果を果たすので、敷居溝３ａの幅に合わせてそれぞれのガイドシュー２の位置を調整し、その位置で締め付けナット１４を締め付けることで位置を固定することができる。それにより、様々な敷居溝３ａの幅に対して対応することが出来る。
【００３６】
なお、上述の各実施の形態では、エレべータの乗りかごのエレベータ扉１のガイドシュー２について説明したが、乗り場のエレベータ扉についても同様のガイドシュー２が設けられた同様の構造が用いられており、上述の各実施の形態を同様に適用することができる。
【００３７】
以上に説明したように、上述の実施の形態によれば、エレベータ扉のガイドシューを取付ける際に、さまざまな敷居溝の幅に対して、その敷居溝の溝幅毎に個別に部品を準備しなくても、調整手段により精度よく取付けることができ、作業性が大幅に向上する。
【００３８】
また、敷居溝の溝幅にかかわらず同じ部品を用いることができるので、部品の共通化ができて管理も容易になる。
【００３９】
【発明の効果】
本発明によれば、エレベータ扉を設置する際に、さまざまな敷居溝の幅に対応できる調整しやすいガイドシューによるエレベータ扉ガイド装置と、それを用いたエレベータ扉が得られる。
【図面の簡単な説明】
【図１】エレベータ乗りかごのエレベータ扉の部分の正面図。
【図２】ガイドシューの構造図。
【図３】（ａ）、（ｂ）および（ｃ）は、本発明のガイドシューのエレベータ扉への取付けの実施の形態を示す説明図。
【図４】皿ばねを用いた変形例の説明図。
【図５】（ａ）、（ｂ）および（ｃ）は、本発明のガイドシューのエレベータ扉への取付けの実施の形態を示す説明図。
【図６】（ａ）、（ｂ）および（ｃ）は、本発明のガイドシューのエレベータ扉への取付けの実施の形態を示す説明図。
【図７】（ａ）、（ｂ）および（ｃ）は、本発明のガイドシューのエレベータ扉への取付けの実施の形態を示す説明図。
【図８】従来のエレベータ乗りかごのエレベータ扉の部分の正面図。
【図９】従来のエレベータ扉ガイド装置の一例を示す説明図。
【図１０】（ａ）は従来のエレベータ扉ガイド装置の要部の平面図、（ｂ）および（ｃ）は従来のエレベータ扉ガイド装置の側面図。
【符号の説明】
１…エレベータ扉、２…ガイドシュー、３…敷居、３ｂ…敷居溝、４…取付け金具、６…取付けベース、７…ねじ、８…圧縮コイルばね、９…皿ばね、１１…楔板、１３…シム、１４…締め付けナット
【図１】
2004099265.tif 000003
【図２】
2004099265.tif 000004
【図３】
2004099265.tif 000005
【図４】
2004099265.tif 000006
【図５】
2004099265.tif 000007
【図６】
2004099265.tif 000008
【図７】
2004099265.tif 000009
【図８】
2004099265.tif 000010
【図９】
2004099265.tif 000011
【図１０】
2004099265.tif 000012